【手続補正書】
【提出日】平成17年8月22日(2005.8.22)
【手続補正１】
【補正対象書類名】明細書
【補正対象項目名】発明の名称
【補正方法】変更
【補正の内容】
【発明の名称】雲台システム及び接続アダプタ
【手続補正２】
【補正対象書類名】明細書
【補正対象項目名】特許請求の範囲
【補正方法】変更
【補正の内容】
【特許請求の範囲】
【請求項１】
雲台装置に撮像機器を搭載させる雲台システムであって、
該撮像機器に接続アダプタを固定し、該接続アダプタを介して、該撮像機器と該雲台装置とか脱着可能に、機械的及び電気的に接続されることを特徴とする雲台システム。
【請求項２】
前記撮像機器と前記接続アダプタとを電気的に接合する面と、該接続アダプタと前記雲台装置とを電気的に接合する面が異なることを特徴とする請求項１記載の雲台システム。
【請求項３】
前記雲台装置は搭載された前記撮像機器の方向を変化させる機能を持つことを特徴とする請求項１記載の雲台システム。
【請求項４】
前記撮像機器は被写体を撮影して生成した画像信号の転送を行う機能を持つことを特徴とする請求項１記載の雲台システム。
【請求項５】
前記雲台装置と前記接続アダプタとを固定するための第一の固定手段と、該接続アダプタと前記撮像機器を固定するための第二の固定手段とをさらに備え、該第二の固定手段により該接続アダプタと該撮像機器とが固定された後に、該第一の固定手段により該接続アダプタと該雲台装置とが固定されることを特徴とする請求項１記載の雲台システム。
【請求項６】
前記電気的に接続するための手段は、データを通信するためのデータ通信手段を含むことを特徴とする請求項１記載の雲台システム。
【請求項７】
前記電気的に接続するための手段は、データを通信するためのデータ通信手段を含み、前記第一の固定手段並びに前記第二の固定手段により前記撮像装置が前記雲台装置に固定されると同時に、前記データ通信手段が接続されるように構成したことを特徴とする請求項５記載の雲台システム。
【請求項８】
電気的に接続するための手段は、前記撮像機器に電力を供給するための電力供給手段を含むことを特徴とする請求項１記載の雲台システム。
【請求項９】
電気的に接続するための手段は、前記撮像機器に電力を供給するための電力供給手段を含み、前記第一の固定手段並びに前記第二の固定手段により前記撮像装置が前記雲台装置に固定されると同時に、前記電力供給手段が接続されるように構成したことを特徴とする請求項８記載の雲台システム。
【請求項１０】
前記データ通信手段は、前記撮像機器で生成された画像信号もしくは音声信号を前記雲台装置へ転送すると共に、該撮像機器を制御するための制御用データを該雲台装置から受信する手段であることを特徴とする請求項６または７記載の雲台システム。
【請求項１１】
前記接続アダプタと前記雲台装置とを固定する前記第一の固定手段は、ワンタッチ操作で固定を行うことが可能な構造であることを特徴とする請求項５記載の雲台システム。
【請求項１２】
前記雲台装置の前記電源供給手段は、前記撮像機器で使用している電池の情報に基づいて、撮像に供給する電圧を変更する手段を含むことを特徴とする請求項８記載の雲台システム。
【請求項１３】
前記接続アダプタは、前記撮像機器で使用している電池の情報を前記雲台装置に通知する電池情報通知手段を含むことを特徴とする請求項８記載の雲台システム。
【請求項１４】
前記電池情報通知手段は、如何なる種類の電池が使用されているかを通知する電池種類通知手段と、電池のセル数を通知する電池セル数通知手段とを含むことを特徴とする請求項１３記載の雲台システム。
【請求項１５】
前記接続アダプタは、前記電源供給手段による前記雲台装置から前記撮像機器側への電源供給時に、該撮像機器の必要電圧に応じて、供給電源の電圧変換を行う電圧変換手段を含むことを特徴とする請求項８記載の雲台システム。
【請求項１６】
前記接続アダプタの非装着時に、該接続アダプタとの接触面に配置された前記雲台装置上の前記データ通信手段のデータ端子をカバーするデータ通信端子保護手段を備え、該データ通信端子保護手段は、該接続アダプタの装着時に自動的に排除されることを特徴とする請求項６記載の雲台システム。
【請求項１７】
前記雲台装置のデータ通信端子は、該雲台装置に前記接続アダプタを装着する際に、該接続アダプタのデータ通信端子端子に接触するように移動し、また該接続アダプタを該雲台装置から取り外す際、前記データ通信端子保護手段の駆動と同時に格納するように移動するデータ通信端子スライド手段をさらに備えることを特徴とする請求項１６記載の雲台システム。
【請求項１８】
前記接続アダプタの非装着時に、該接続アダプタとの接触面に配置された前記雲台装置上の前記電力供給手段の供給用電源端子をカバーする供給用電源端子保護手段を備え、該供給用電源端子保護手段は、該接続アダプタの装着時に排除されることを特徴とする請求項８記載の雲台システム。
【請求項１９】
前記雲台装置の供給用電源端子は、該雲台装置に前記接続アダプタを装着する際に、該接続アダプタの供給用電源端子に接触するように移動し、また該接続アダプタを該雲台装置から取り外す際、前記供給用電源端子保護手段の駆動と同時に格納するように移動する供給用電源端子スライド手段を備さらに備えることを特徴とする請求項１８記載の雲台システム。
【請求項２０】
前記撮像機器及び前記雲台装置のデータ通信手段は、ユニバーサル・シリアル・バスに適合し、前記雲台装置はユニバーサル・シリアル・バスに対応したＵＳＢホストコントローラをさらに備え、該撮像機器はユニバーサル・シリアル・バスに対応したＵＳＢペリフェラルコントローラをさらに備えることを特徴とする請求項１記載の雲台システム。
【請求項２１】
前記雲台装置とデータの通信を行う外部ホスト装置をさらに備え、該雲台装置は、前記撮像機器を固定した前記接続アダプタが固定されたときに該雲台装置内の記憶手段に所定のドライバーソフトウェアが存在しない場合は、該外部ホスト装置に前記ドライバーソフトウェアを要求して、該雲台装置の記憶手段にロードするドライバー要求手段をさらに備えることを特徴とする請求項１記載の雲台システム。
【請求項２２】
前記撮像機器は、デジタルスチルカメラであることを特徴とする請求項１記載の雲台システム。
【請求項２３】
前記撮像機器と前記接続アダプタを固定する前記第二の固定手段は、三脚ネジと同一の形状であることを特徴とする請求項５記載の雲台システム。
【請求項２４】
被写体を撮影して画像信号を生成し、該画像信号の転送を行うことが可能な撮像機器と、該撮像機器の撮影方向を変化させる雲台装置との間に固定されて該撮像機器を該雲台装置に機械的及び電気的に接続することを特徴とする接続アダプタ。
【請求項２５】
前記雲台装置から前記撮像機器に電力を供給する際に、供給すべき電圧を該雲台装置に指示することを特徴とする請求項２４記載の接続アダプタ。
【請求項２６】
前記接続アダプタは前記撮像機器本体に固定する固定ネジ手段をさらに備え、該固定ネジ手段と端子インターフェース並びに電源端子の一方または両方を用いて、該接続アダプタと該撮像機器の相対位置を決めることを特徴とする請求項２４記載の接続アダプタ。
【請求項２７】
前記接続アダプタは前記撮像機器本体の底面と一部側面に接して該撮像機器本体を支持する支持体をさらに備え、該支持体は底部が水平方向に伸縮する水平方向伸縮手段並びに側壁部が垂直方向に伸縮する垂直方向伸縮手段の一方または両方の伸縮手段を含み、該撮像機器を脱着する際に該伸縮手段を利用することを特徴とする請求項２４記載の接続アダプタ。
【手続補正３】
【補正対象書類名】明細書
【補正対象項目名】０００１
【補正方法】変更
【補正の内容】
【０００１】
【発明の属する技術分野】
本発明は、デジタルスチルカメラ等の撮像機器を雲台装置に搭載する雲台システム、及び撮像機器を雲台装置に機械的及び電気的に接続する接続アダプタに関する。
【手続補正４】
【補正対象書類名】明細書
【補正対象項目名】００１０
【補正方法】変更
【補正の内容】
【００１０】
本発明は上記従来の問題点に鑑み、雲台装置にデジタルスチルカメラ等の撮像機器を接続する際に煩雑なケーブル接続の手間を省き、ケーブルが雲台装置の動作の邪魔になることもなく、多種類ある撮像機器の形状の相違に関係なく共通の雲台装置に簡単に接続することが可能な雲台システム及び接続アダプタを提供することを目的とする。
【手続補正５】
【補正対象書類名】明細書
【補正対象項目名】００１１
【補正方法】変更
【補正の内容】
【００１１】
【課題を解決するための手段】
上記目的を達成するために、本発明の雲台システムは、雲台装置に撮像機器を搭載させる雲台システムであって、該撮像機器に接続アダプタを固定し、該接続アダプタを介して、該撮像機器と該雲台装置とか脱着可能に、機械的及び電気的に接続されることを特徴とする。
【手続補正６】
【補正対象書類名】明細書
【補正対象項目名】００１２
【補正方法】変更
【補正の内容】
【００１２】
本発明の接続アダプタでは、被写体を撮影して画像信号を生成し、該画像信号の転送を行うことが可能な撮像機器と、該撮像機器の撮影方向を変化させる雲台装置との間に固定されて該撮像機器を該雲台装置に機械的及び電気的に接続することを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００５３
【補正方法】変更
【補正の内容】
【００５３】
【発明の効果】
以上詳細に説明したように本発明によれば、雲台装置に撮像機器を接続する際に煩雑なケーブル接続の手間を省き、ケーブルが雲台動作の邪魔になることもなく、多種類ある撮像機器の形状の相違を接続アダプタが吸収することで共通の雲台装置に簡単に接続することが可能になる。